(57)【要約】【課題】電気式空気清浄機を簡便な構成により容易に、且つ正確に着脱できるようにした空気調和機を提供する。【解決手段】前面パネル４が、吸込口２を備えた上部パネル４ａと、吹出口３を備えた下部パネル４ｂとで構成される一方、電気式空気清浄機８を着脱する着脱装置が、同電気式空気清浄機８の後部両側および前記上部パネル４ａに設けられた着脱可能な枢支部９と、前記電気式空気清浄機８の前部および前記下部パネル４ｂに設けられた係脱可能な係止部１０とで構成され、前記電気式空気清浄機８は、その前端部が低くなるように傾斜させて装着した。【選択図】　図１
2004084974.tif 000002
【特許請求の範囲】
【請求項１】
本体を構成するベースの前部に、吸込口と吹出口とを上下部に備えた前面パネルを装着し、前記吸込口と前記吹出口とを結ぶ空気通路を形成する前記ベースに、熱交換器と送風ファンとを設け、前記吸込口の裏面にプレフィルタを設けると共に、同プレフィルタと前記熱交換器との間に電気式空気清浄機が着脱可能に設けられてなる空気調和機において、
前記前面パネルが、前記吸込口を備えた上部パネルと、前記吹出口を備えた下部パネルとで構成される一方、前記電気式空気清浄機を着脱する着脱装置が、前記電気式空気清浄機の後部両側および前記上部パネルに設けられた着脱可能な枢支部と、前記電気式空気清浄機の前部および前記下部パネルに設けられた係脱可能な係止部とで構成され、前記電気式空気清浄機は、その前部が少許低くなるように傾斜させてなることを特徴とする空気調和機。
【請求項２】
前記枢支部が、前記電気式空気清浄機の後部両側に設けられた筒状の軸受けと、同軸受けに対応して前記上部パネルに設けられた支軸とで構成されると共に、前記軸受けに前記支軸の外形よりも少許狭い挿脱口が設けられる一方、前記支軸に前記挿脱口に対応する平坦部が設けられてなることを特徴とする請求項１に記載の空気調和機。
【請求項３】
前記挿脱口が、前記軸受けの後部に設けられる一方、前記平坦部が前記支軸の上部に設けられてなり、前記電気式空気清浄機の前部が少許高くなるように傾斜させた位置で、前記支軸を前記挿脱口に挿脱できるようにしてなることを特徴とする請求項２に記載の空気調和機。
【請求項４】
前記支軸の後部に、前記挿脱口の両縁部に対向する位置決め用の凸部を設け、同凸部に前記挿脱口の縁部を当接することにより、前記電気式空気清浄機の回動範囲を規制するようにしてなることを特徴とする請求項３に記載の空気調和機。
【請求項５】
前記枢支部が、前記電気式空気清浄機の後部両側に設けられた支軸と、同支軸に対応して前記上部パネルに設けられた筒状の軸受けとで構成されると共に、前記軸受けに前記支軸の外形よりも狭い挿脱口が設けられる一方、前記支軸に前記挿脱口に対応する平坦部が設けられてなることを特徴とする請求項１に記載の空気調和機。
【請求項６】
前記挿脱口が、前記軸受けの前部に設けられる一方、前記平坦部が前記支軸の下部に設けられてなり、前記電気式空気清浄機の前部が少許高くなるように傾斜させた位置で、前記支軸を前記挿脱口に挿脱できるようにしてなることを特徴とする請求項５に記載の空気調和機。
【請求項７】
前記支軸の前部に、前記挿脱口の両縁部に対向する位置決め用の凸部を設け、同凸部に前記挿脱口の縁部を当接することにより、前記電気式空気清浄機の回動範囲を規制するようにしてなることを特徴とする請求項６に記載の空気調和機。
【請求項８】
前記軸受けが、前記電気式空気清浄機の後部両側または前記上部パネルに一体成形され、前記支軸が前記上部パネルまたは前記電気式空気清浄機の後部両側に一体成形され、前記軸受けにより回動可能に支持されるようにしてなることを特徴とする請求項１に記載の空気調和機。
【請求項９】
前記軸受けが、前記支軸を嵌合する嵌合部と、同嵌合部に連続する軸部とを備えて個別に形成され、同軸部が、前記電気式空気清浄機の後部両側に設けられた支持孔により回動可能に支持されるようにしてなることを特徴とする請求項１に記載の空気調和機。
【請求項１０】
前記軸受けの軸部に付勢ばねを装着して、前記電気式空気清浄機の前部を上方に付勢するようにしてなることを特徴とする請求項９に記載の空気調和機。
【請求項１１】
前記付勢ばねにより、前部が低くなるように傾斜させた前記電気式空気清浄機を略水平位置もしくは、前部が高くなるように傾斜させた位置まで付勢し回動させるようにしてなることを特徴とする請求項１０に記載の空気調和機。
【発明の詳細な説明】
【０００１】
【発明の属する技術分野】
本発明は、空気調和機に係わり、より詳細には、電気式空気清浄機を簡便な構成により容易に、且つ正確に着脱できるようにした構造に関する。
【０００２】
【従来の技術】
従来の空気調和機には、例えば図６（Ａ）および図６（Ｂ）で示すように、本体を構成するベース１の前部には、吸込口２と吹出口３とを上下部に備えた前面パネル４が装着され、前記吸込口２と前記吹出口３とを結ぶ空気通路を形成する前記ベース１には、送風ファン６が設けられると共に熱交換器５および露受けａが取り付けられ、前記吸込口２の裏面にはプレフィルタ７が設けられ、同プレフィルタ７と前記熱交換器５との間には電気式空気清浄機８が着脱可能に設けられてなる構成であった。
【０００３】
上記構造により、前記電気式空気清浄機８は、通電部を兼ねたホルダＡによって前記熱交換器５の前部に添設された状態で保持されることにより、帯電手段を用いて空気中の粉塵粒子を帯電させると共に、この帯電した粒子を電極材料に印加された電圧により発生する電界によって集塵部で静電的に吸着させるようになっていた。
【０００４】
しかしながら、例えば前記電気式空気清浄機８を取り外し、メンテナンスしたのちに前記ホルダＡによって位置決めしながら保持するという一連の作業が面倒で作業性が悪い上、前記電気式空気清浄機８と前記ホルダＡとの間に位置ずれが生じたり、クリアランスが生じることによって放電現象が起きてしまうという問題点を有していた。
【０００５】
【発明が解決しようとする課題】
本発明は、上記問題点に鑑み、電気式空気清浄機を簡便な構成により容易に、且つ正確に着脱できるようにした空気調和機を提供することを目的とする。
【０００６】
【課題を解決するための手段】
本発明は、上記課題を解決するため、本体を構成するベースの前部に、吸込口と吹出口とを上下部に備えた前面パネルを装着し、前記吸込口と前記吹出口とを結ぶ空気通路を形成する前記ベースに、熱交換器と送風ファンとを設け、前記吸込口の裏面にプレフィルタを設けると共に、同プレフィルタと前記熱交換器との間に電気式空気清浄機が着脱可能に設けられてなる空気調和機において、
前記前面パネルが、前記吸込口を備えた上部パネルと、前記吹出口を備えた下部パネルとで構成される一方、前記電気式空気清浄機を着脱する着脱装置が、前記電気式空気清浄機の後部両側および前記上部パネルに設けられた着脱可能な枢支部と、前記電気式空気清浄機の前部および前記下部パネルに設けられた係脱可能な係止部とで構成され、前記電気式空気清浄機は、その前部が少許低くなるように傾斜させてなる構成となっている。
【０００７】
また、前記枢支部が、前記電気式空気清浄機の後部両側に設けられた筒状の軸受けと、同軸受けに対応して前記上部パネルに設けられた支軸とで構成されると共に、前記軸受けに前記支軸の外形よりも少許狭い挿脱口が設けられる一方、前記支軸に前記挿脱口に対応する平坦部が設けられてなる構成となっている。
【０００８】
また、前記挿脱口が、前記軸受けの後部に設けられる一方、前記平坦部が前記支軸の上部に設けられてなり、前記電気式空気清浄機の前部が少許高くなるように傾斜させた位置で、前記支軸を前記挿脱口に挿脱できるようにしてなる構成となっている。
【０００９】
また、前記支軸の後部に、前記挿脱口の両縁部に対向する位置決め用の凸部を設け、同凸部に前記挿脱口の縁部を当接することにより、前記電気式空気清浄機の回動範囲を規制するようにしてなる構成となっている。
【００１０】
また、前記枢支部が、前記電気式空気清浄機の後部両側に設けられた支軸と、同支軸に対応して前記上部パネルに設けられた筒状の軸受けとで構成されると共に、前記軸受けに前記支軸の外形よりも狭い挿脱口が設けられる一方、前記支軸に前記挿脱口に対応する平坦部が設けられてなる構成となっている。
【００１１】
また、前記挿脱口が、前記軸受けの前部に設けられる一方、前記平坦部が前記支軸の下部に設けられてなり、前記電気式空気清浄機の前部が少許高くなるように傾斜させた位置で、前記支軸を前記挿脱口に挿脱できるようにしてなる構成となっている。
【００１２】
また、前記支軸の前部に、前記挿脱口の両縁部に対向する位置決め用の凸部を設け、同凸部に前記挿脱口の縁部を当接することにより、前記電気式空気清浄機の回動範囲を規制するようにしてなる構成となっている。
【００１３】
また、前記軸受けが、前記電気式空気清浄機の後部両側または前記上部パネルに一体成形され、前記支軸が前記上部パネルまたは前記電気式空気清浄機の後部両側に一体成形され、前記軸受けにより回動可能に支持されるようにしてなる構成となっている。
【００１４】
また、前記軸受けが、前記支軸を嵌合する嵌合部と、同嵌合部に連続する軸部とを備えて個別に形成され、同軸部が、前記電気式空気清浄機の後部両側に設けられた支持孔により回動可能に支持されるようにしてなる構成となっている。
【００１５】
また、前記軸受けの軸部に付勢ばねを装着して、前記電気式空気清浄機の前部を上方に付勢するようにしてなる構成となっている。
【００１６】
更に、前記付勢ばねにより、前部が低くなるように傾斜させた前記電気式空気清浄機を略水平位置もしくは、前部が高くなるように傾斜させた位置まで付勢し回動させるようにしてなる構成となっている。
【００１７】
【発明の実施の形態】
以下、本発明の実施の形態を図面に基づいた実施例として詳細に説明する。
図１は本発明による空気調和機の説明図で、（Ａ）は吸込グリルを開いた状態を、（Ｂ）は吸込グリルおよびプレフィルタを取り外して電気式空気清浄機の前部を上方に回動した状態を夫々示す断面図であり、図２は電気式空気清浄機の後部両側の枢支部の第一の実施例を示す説明図で、（Ａ）は電気式空気清浄機の前部を低く傾斜させて装着した状態を、（Ｂ）は前部を上方に回動させた状態を、（Ｃ）は軸受けから支軸を離脱させた状態を夫々示す側面図であり、図３は電気式空気清浄機の後部両側の枢支部の第二の実施例を示す説明図で、（Ａ）は電気式空気清浄機の前部を低く傾斜させて装着した状態を、（Ｂ）は前部を上方に回動させた状態を、（Ｃ）は軸受けから支軸を離脱させた状態を夫々示す側面図であり、図４は電気式空気清浄機の後部両側の枢支部の第三の実施例を示す要部分解斜視図であり、図５は電気式空気清浄機の後部両側の枢支部の第三の実施例を示す要部分解平面図である。
【００１８】
本発明による空気調和機は、図で示すように、本体を構成するベース１の前部に、吸込口２を備えた上部パネル４ａと、吹出口３を備えた下部パネル４ｂとからなる前面パネル４が装着されている。
【００１９】
前記吸込口２と、前記吹出口３とを結ぶ空気通路を形成する前記ベース１には、熱交換器５および送風ファン６が設けられると共に、前記熱交換器５の下部には露受けａが設けられている。
【００２０】
前記吸込口２は、略水平状の形成された前記上部パネル４ａの後部前端（中央部）から、前端部が低くなるように傾斜させた前記上部パネル４ａの前部をなす傾斜部にわたって形成されており、この傾斜部に形成された吸込口２は、回動可能に、且つ着脱可能に設けられた吸込グリル４ｃからなる構成となっている。
【００２１】
前記吸込口２の裏面にはプレフィルタ７が挿脱可能に設けられ、同プレフィルタ７と前記熱交換器５との間には、前部が少許低くなるように傾斜させた状態にして、前記吸込グリル４ｃに対向させるように電気式空気清浄機８が着脱可能に設けられている。
【００２２】
前記吸込口２から吸い込まれた空気は、この吸込空気中に含まれた塵埃を前記プレフィルタ７によって除去すると共に、前記電気式空気清浄機８を通過させることにより、帯電手段を用いて空気中の粉塵粒子を帯電させ、この帯電した粒子を電極材料に印加された電圧により発生する電界によって集塵部で静電的に吸着させたのち、前記吹出口３に送出されるようになっている。
【００２３】
前記電気式空気清浄機８を着脱する着脱装置は、前記電気式空気清浄機８の後部両側および前記上部パネル４ａに設けられた着脱可能な枢支部９と、前記電気式空気清浄機８の前部および前記下部パネル４ｂに設けられた係脱可能な係止部１０とで構成されている。
【００２４】
以上の構成により、次にその動作について説明する。
例えばメンテナンス時に電気式空気清浄機８を取り外す際、図１（Ａ）および図１（Ｂ）で示すように、前記吸込グリル４ｃを回動し、または回動したのちに取り外して前記上部パネル４ａの傾斜部に形成された吸込口２を開放し、前記プレフィルタ７を取り外し、前記係止部１０から離脱させた前記電気式空気清浄機８の前部を前記枢支部９を中心に上方に回動させると共に、同枢支部９から前記電気式空気清浄機８の後部を離脱させる。
【００２５】
一方、電気式空気清浄機８を取り付ける時には、上記の手順とは逆の手順によって取り付けるようにすればよく、前記枢支部９により前記電気式空気清浄機８の後部を枢支させると共に、前部を前記係止部１０により係止したのちに、前記プレフィルタ７および前記吸込グリル４ｃを順次装着すればよい。
【００２６】
また、前記枢支部９は、第一の実施例として図２（Ａ）乃至図２（Ｃ）で示すように、前記電気式空気清浄機８の後部両側に設けられた筒状の軸受け９ａと、同軸受け９ａに対応して前記上部パネル４ａに設けられた支軸９ｂとで構成されると共に、前記軸受け９ａに前記支軸９ｂの外形よりも少許狭い挿脱口９ｃが設けられる一方、前記支軸９ｂに前記挿脱口９ｃに対応する平坦部９ｄが設けられた構成となっている。
【００２７】
これにより、前記電気式空気清浄機８の前部を前記係止部１０から離脱させたのち、図２（Ｂ）で示す矢印のように、前記枢支部９を中心に上方に回動させた位置で、図２（Ｃ）で示すように、前記軸受け９ａの後部に設けられた前記挿脱口９ｃから、前記平坦部９ｄを上部に備えた前記支軸９ｂを離脱できる。
【００２８】
すなわち、前記電気式空気清浄機８に設けられた軸受け９ａは、同電気式空気清浄機８の前部を低く傾斜させた状態では前記支軸９ｂから離脱できず、図２（Ｂ）および図２（Ｃ）で示すように、前部を上方に回動させた位置でのみ離脱できるようになっている。
【００２９】
なお、前記支軸９ｂの後部には、前記挿脱口９ｃの両縁部９ｃ’　に対向する位置決め用の凸部９ｅを設け、同凸部９ｅに前記挿脱口９ｃの縁部９ｃ’　を当接することにより前記電気式空気清浄機８の回動範囲を規制できるようになっており、とくに同電気式空気清浄機８の装着時には、図２（Ａ）で示すように、前記凸部９ｅに前記挿脱口９ｃの縁部９ｃ’　を当接させて、該個所に遊びを生じさせることなく正確に装着できるようになっている。
【００３０】
また、前記枢支部９は、第二の実施例として図３（Ａ）乃至図３（Ｃ）で示すように、前記電気式空気清浄機８の後部両側に設けられた支軸９ｂと、同支軸９ｂに対応して前記上部パネル４ａに設けられた筒状の軸受け９ａとで構成されると共に、前記軸受け９ａに前記支軸９ｂの外形よりも狭い挿脱口９ｃが設けられる一方、前記支軸９ｂに前記挿脱口９ｃに対応する平坦部９ｄが設けられた構成にしてもよい。
【００３１】
これにより、前記電気式空気清浄機８の前部を前記係止部１０から離脱させたのち、図３（Ｂ）で示すように、前記枢支部９を中心に上方に回動させた位置で、図３（Ａ）で示すように、前記軸受け９ａの前部に設けられた前記挿脱口９ｃから、前記平坦部９ｄを下部に備えた前記支軸９ｂを離脱できる。
【００３２】
すなわち、前記電気式空気清浄機８の後部両側に設けられた支軸９ｂは、同電気式空気清浄機８の前部を低く傾斜させた状態では前記軸受け９ａから離脱できず、図３（Ａ）および図３（Ｂ）で示すように、前部を上方に回動させた位置でのみ離脱できるようになっている。
【００３３】
なお、前記支軸９ｂの前部には、前記挿脱口９ｃの両縁部９ｃ’　に対向する位置決め用の凸部９ｅを設け、同凸部９ｅに前記挿脱口９ｃの縁部９ｃ’　を当接することにより前記電気式空気清浄機８の回動範囲を規制できるようになっており、とくに同電気式空気清浄機８の装着時には、図３（Ｃ）で示すように、前記凸部９ｅに前記挿脱口９ｃの縁部９ｃ’　を当接させて、該個所に遊びを生じさせることなく正確に装着できるようになっている。
【００３４】
また、前記軸受け９ａは、前記電気式空気清浄機８の後部両側または前記上部パネル４ａに一体成形され、前記支軸９ｂが前記上部パネル４ａまたは前記電気式空気清浄機８の後部両側に一体成形されて前記軸受け９ａにより回動可能に支持されるようにすることにより、前記枢支部９が簡便な形成されたコスト的に有利な構成となる。
【００３５】
また、前記軸受け９ａは、第三の実施例として図４および図５で示すように、前記支軸９ｂを着脱可能に嵌合する嵌合部９ｆと、同嵌合部９ｆに連続する軸部９ｇとを備えて個別に形成され、同軸部９ｇが、前記電気式空気清浄機８の後部両側に設けられた対をなす支持孔８ａによって回動可能に支持されるようにしてもよい。
【００３６】
なお、前記軸部９ｇは、先細状に形成されると共に、前記支持孔８ａからの離脱を防止する離脱防止用の拡径部９ｇ’　および軸径方向に可撓性をもたせるためのスリット９ｈを備えることにより、前記支持孔８ａに対し容易に挿入できるようになり、且つ正確に支持されるようになっている。
【００３７】
また、前記軸受け９ａの軸部９ｇに付勢ばね１１を装着することにより、前記電気式空気清浄機８の前部を上方に付勢するようにして、前記電気式空気清浄機８の前部を前記係止部１０から離脱させた際、同電気式空気清浄機８の前部が低くなるように傾斜させた状態から同前部を上方に付勢し、前記枢支部９を中心に略水平位置もしくは、図２（Ｂ）および図３（Ｂ）で示すように前部が高くなるように傾斜させた傾斜位置まで自動的に回動させることにより、前記電気式空気清浄機８を着脱させやすくしてメンテナンス性を向上させた構成となっている。
【００３８】
前記付勢ばね１１を装着する際、図４で示す同付勢ばね１１の一端１１ａ　を前記スリット９ｈに係止し、他端１１ｂ　を前記電気式空気清浄機８を構成する蓋体８ｂに係止した状態で装着すればよい。
【００３９】
なお、前記係止部１０は、図１（Ａ）および図１（Ｂ）で示すように、所謂プッシュラッチなどを採用して前記電気式空気清浄機８の前部を係脱可能に係止するように構成すればよい。
【００４０】
【発明の効果】
以上説明したように、本発明によると、電気式空気清浄機を簡便な構成により容易に、且つ正確に着脱できるようにした空気調和機となる。
【図面の簡単な説明】
【図１】本発明による空気調和機の説明図で、（Ａ）は吸込グリルを開いた状態を示す断面図であり、（Ｂ）は吸込グリルおよびプレフィルタを取り外して電気式空気清浄機の前部を上方に回動した状態を示す断面図である。
【図２】電気式空気清浄機の後部両側の枢支部の第一の実施例を示す説明図で、（Ａ）は電気式空気清浄機の前部を低く傾斜させて装着した状態を示す側面図であり、（Ｂ）は前部を上方に回動させた状態を示す側面図であり、（Ｃ）は軸受けから支軸を離脱させた状態を示す側面図である。
【図３】電気式空気清浄機の後部両側の枢支部の第二の実施例を示す説明図で、（Ａ）は電気式空気清浄機の前部を低く傾斜させて装着した状態を示す側面図であり、（Ｂ）は前部を上方に回動させた状態を示す側面図であり、（Ｃ）は軸受けから支軸を離脱させた状態を示す側面図である。
【図４】電気式空気清浄機の後部両側の枢支部の第三の実施例を示す要部分解斜視図である。
【図５】電気式空気清浄機の後部両側の枢支部の第三の実施例を示す要部分解平面図である。
【図６】従来例による空気調和機の説明図で、（Ａ）は電気式空気清浄機を装着した状態を示す断面図であり、（Ｂ）は電気式空気清浄機を取り外した状態を示す要部断面図である。
【符号の説明】
１　ベース
２　吸込口
３　吹出口
４　前面パネル
４ａ　上部パネル
４ｂ　下部パネル
５　熱交換器
６　送風ファン
７　プレフィルタ
８　電気式空気清浄機
８ａ　支持孔
８ｂ　蓋体
９　枢支部
９ａ　軸受け
９ｂ　支軸
９ｃ　挿脱口
９ｃ’　縁部
９ｄ　平坦部
９ｅ　凸部
９ｆ　嵌合部
９ｇ　軸部
９ｇ’　拡径部
９ｈ　スリット
１０　係止部
１１　付勢ばね
１１ａ　付勢ばねの一端
１１ｂ　付勢ばねの他端
ａ　露受け
【図１】
2004084974.tif 000003
【図２】
2004084974.tif 000004
【図３】
2004084974.tif 000005
【図４】
2004084974.tif 000006
【図５】
2004084974.tif 000007
【図６】
2004084974.tif 000008